(57)【要約】  【課題】  モータに電力を供給する電源線を介して前記モータの出力に関するデジタル信号をノイズの影響を受けずに送信することができるモータ駆動装置を提供する。  【解決手段】  各電源線３のモータ２側に送信回路５、５、５を接続し、各電源線３のモータ駆動回路１側に受信回路６を接続する。モータ２の出力に関する信号は、検出回路４においてデジタル信号に変換され、送信回路５へ出力される。送信回路５は、モータ駆動電流の休止期間にデジタル信号を各電源線３を介して受信回路６へ送信する。受信回路６は、各電源線３から受信したデジタル信号に論理和演算を行う論理和演算回路６３を備え、受信したデジタル信号から元のデジタル信号を復元する。【選択図】      図１
2005229719.tif 000002
【特許請求の範囲】
【請求項１】
複数の電源線を介してモータへ駆動電流を供給するモータ駆動回路と、前記モータに備えられたセンサの出力に関連する信号を前記電源線を介して送信する送信回路と、前記複数の電源線に接続され、受信した信号を前記モータ駆動回路へ出力する受信回路とを備え、前記モータ駆動回路は、前記駆動電流の休止期間が前記複数の電源線を交番的に遷移すべくなしてあるモータ駆動装置において、
前記送信回路は、前記複数の電源線のいずれか二線以上の送信用電源線に接続してあることを特徴とするモータ駆動装置。
【請求項２】
前記送信回路は、前記送信用電源線の前記休止期間夫々に前記信号を送信すべくなしてあることを特徴とする請求項１に記載されたモータ駆動装置。
【請求項３】
前記送信回路は、前記信号を送信するための電源を備え、前記信号を前記送信用電源線に出力するスイッチング素子が前記電源と前記送信用電源線との間に夫々接続してあることを特徴とする請求項１又は請求項２に記載されたモータ駆動装置。
【請求項４】
前記受信回路は、受信した信号に論理和演算を行う演算回路を備えたことを特徴とする請求項１乃至請求項３のいずれかに記載されたモータ駆動装置。
【発明の詳細な説明】
【技術分野】
【０００１】
本発明は、モータに電力を供給する電源線に該モータに備えられたセンサの出力に関連する信号を前記電源線を介して送信するモータ駆動装置に関する。
【背景技術】
【０００２】
車両に搭載されるモータにはブラシレス直流電動機が用いられている。ブラシレス直流電動機は、車両に搭載された電池から供給される直流を三相交流に変換するモータ駆動回路に、三相の電源線を介して接続されている。モータ駆動回路には、駆動電流の休止期間が三相の電源線を交番的に遷移する電流形インバータの駆動回路、又はＰＷＭインバータの駆動回路と、休止期間がない駆動電流が交番的に流れる電圧形インバータの駆動回路がある。  
【０００３】
ブラシレス直流電動機の駆動は、該電動機内部に備えられたレゾルバ又はホール素子などにより電動機の回転子の回転角度に関連する信号をモータ駆動回路へ送信し、送信された信号に基づいてモータ駆動回路から供給される三相交流の駆動期間を制御することにより行われる。また、電動機内部の異常温度に関連する信号をモータ駆動回路へ送信して電動機を停止させる。
【０００４】
信号をモータ駆動回路へ送信するためには、電源線とは別に、前記信号をモータ駆動回路へ送信するための信号線が必要となるが、電源線に加えて信号線をモータとモータ駆動回路との間に設けた場合は、ハーネスが増加し車両の軽量化が図れない。そこで、信号を、信号線を使用せず前記電源線を介して送信している。
【０００５】
例えば、信号を電源線の一線を用いてモータ駆動回路へ送信する構成として、電源線の一線のモータ側に信号送信用の変圧器を接続し、モータ駆動回路側に信号受信用の変圧器を接続するものがある。
【０００６】
すなわち、信号送信用の変圧器の一方の巻線が電源線の一線に直列に接続され、他方の巻線には、信号に応じた電圧を印加することにより、信号が前記電源線を介して送信される。一方、信号受信用の変圧器の一方の巻線が前記電源線に直列に接続され、他方の巻線は、前記信号の受信回路が接続されている。電源線を送信された信号は、信号受信用の変圧器で検出され、前記信号は前記受信回路に出力されることにより、電源線を介して送信される（特許文献１参照）。
【特許文献１】特開２００３−１７４７８７号公報
【発明の開示】
【発明が解決しようとする課題】
【０００７】
しかしながら、特許文献１の構成にあっては、信号を前記電源線の一線を流れる駆動電流に重畳して送信するため、駆動電流に生じるノイズの電圧レベルが前記信号の電圧レベルに比較して大きい場合には、前記信号は駆動電流に生じたノイズの影響を受け、前記受信回路は、送信された信号をノイズと分離して受信することができない虞があった。
【０００８】
本発明は、斯かる事情に鑑みてなされたものであり、複数の電源線のいずれか二線以上の送信用電源線を介して信号を送信する送信回路を備えることにより、前記信号を前記送信用電源線を介して送信することができるモータ駆動装置を提供することを目的とする。
【０００９】
また、本発明の他の目的は、前記送信回路が、前記送信用電源線の前記休止期間夫々に前記信号を送信することにより、駆動電流に生じるノイズの影響を受けずに前記信号を送信することができるモータ駆動装置を提供することにある。
【００１０】
また、本発明の他の目的は、前記送信回路を、信号を送信するための電源と前記送信用電源線との間にスイッチング素子を接続することにより、モータ駆動電流が流れない休止期間に、前記スイッチング素子を動作させて前記信号を前記送信用電源線に出力することができるモータ駆動装置を提供することにある。
【００１１】
また、本発明の他の目的は、前記受信回路が、前記休止期間に送信された信号を受信し、受信した信号に論理和演算を行う演算回路を備えることにより、前記送信用電源線夫々を遷移する休止期間に送信された信号に論理和演算を行い、前記休止期間夫々に受信した信号から元の信号を復元することができるモータ駆動装置を提供することにある。
【課題を解決するための手段】
【００１２】
第１発明に係るモータ駆動装置は、複数の電源線を介してモータへ駆動電流を供給するモータ駆動回路と、前記モータに備えられたセンサの出力に関連する信号を前記電源線を介して送信する送信回路と、前記複数の電源線に接続され、受信した信号を前記モータ駆動回路へ出力する受信回路とを備え、前記モータ駆動回路は、前記駆動電流の休止期間が前記複数の電源線を交番的に遷移すべくなしてあるモータ駆動装置において、前記送信回路は、前記複数の電源線のいずれか二線以上の送信用電源線に接続してあることを特徴とする。
【００１３】
第２発明に係るモータ駆動装置は、前記送信回路は、前記送信用電源線の前記休止期間夫々に前記信号を送信すべくなしてあることを特徴とする。
【００１４】
第３発明に係るモータ駆動装置は、前記送信回路は、前記信号を送信するための電源を備え、前記信号を前記送信用電源線に出力するスイッチング素子が前記電源と前記送信用電源線との間に夫々接続してあることを特徴とする。
【００１５】
第４発明に係るモータ駆動装置は、前記受信回路は、受信した信号に論理和演算を行う演算回路を備えたことを特徴とする。
【００１６】
第１の発明にあっては、複数の電源線のいずれか二線以上の送信用電源線を介して信号を送信する送信回路を備えることにより、前記信号を同時に前記送信用電源線を介して、前記受信回路へ送信することができる。
【００１７】
第２の発明にあっては、複数の電源線のいずれか二線以上の送信用電源線を介して信号を送信する送信回路と、前記信号を受信する受信回路とを備え、前記複数の電源線を交番的に遷移する駆動電流の休止期間夫々に前記信号を送信することにより、前記休止期間に送信された信号は駆動電流により生ずるノイズの影響を受けないため、前記受信回路は、前記休止期間に送信された信号を駆動電流から分離して受信することができる。
【００１８】
第３の発明にあっては、前記送信回路が、信号を送信するための電源と前記送信用電源線との間にスイッチング素子を接続することにより、前記スイッチング素子を動作させて信号を前記送信用電源線に出力することができ、前記複数の電源線に発生する電圧を利用して信号を出力する必要がなく、前記電源線に駆動電流が流れない休止期間に、前記送信用電源線に前記信号を出力することができる。
【００１９】
第４の発明にあっては、前記複数の電源線に接続された前記受信回路が、前記休止期間に送信された信号夫々を受信し、受信した信号に論理和演算を行う演算回路を備えることにより、時間とともに前記送信用電源線夫々を交番的に遷移する休止期間に送信された信号夫々を受信し、受信した信号を論理和演算して、元の信号に復元することができる。
【発明の効果】
【００２０】
本発明にあっては、モータの出力に関連する信号を、同時に前記送信用電源線を介して送信することができる。
【００２１】
また、本発明にあっては、駆動電流の休止期間に信号を送信することにより、電源線を流れる駆動電流に生じるノイズの影響を受けずに、前記信号を送信させることができる。
【００２２】
また、本発明にあっては、信号を出力するスイッチング素子が、電源と前記送信用電源線との間に接続されているため、モータ駆動電流の休止期間に信号を送信することができる。
【００２３】
また、本発明にあっては、休止期間夫々に送信された信号夫々を受信し、受信した信号を論理和演算して元の信号を復元することができる。
【発明を実施するための最良の形態】
【００２４】
図１は本発明のＰＷＭインバータ方式を用いたモータ駆動装置の概略構成を示すブロック図である。図において、１は直流を三相交流に変換するモータ駆動回路である。モータ駆動回路１は、電池１１の正端子にトランジスタＴ１、Ｔ２、Ｔ３のエミッタが接続され、トランジスタＴ１、Ｔ２、Ｔ３のコレクタは、夫々トランジスタＴ４、Ｔ５、Ｔ６のコレクタに接続され、トランジスタＴ４、Ｔ５、Ｔ６のエミッタは、電池１１の負端子に接続された構成を有する。
【００２５】
トランジスタＴ１、Ｔ２、Ｔ３のコレクタ夫々は、三相交流用の各電源線３の一端に接続され、各電源線３の他端はモータ２の各三相端子Ｕ、Ｖ、Ｗに接続されている。
【００２６】
モータ２は、各三相端子Ｕ、Ｖ、Ｗに接続された電機子巻線が配置された固定子と、該固定子の内側に、界磁巻線を有しモータ軸の回りに回転する回転子とを備えている。モータ２には前記回転子の回転角度を検出するレゾルバ８が配置されている。レゾルバ８は、回転子の回転角度に応じた位相を有する電圧信号を検出回路４へ出力する。また、モータ２には温度センサ９が取り付けられてあり、温度センサ９は検出したモータ２の温度を電圧信号に変換して検出回路４へ出力する。
【００２７】
検出回路４は、位相差演算部４１、カウンタ４２、切替部４３、及びＡ／Ｄ変換部４４を備えている。位相差演算部４１は、レゾルバ８から入力された電圧信号の位相と、回転子と固定子とのなす角により定められた基準信号との位相差を演算して、位相差に応じた周波数を有するパルス信号をカウンタ４２へ出力する。
【００２８】
カウンタ４２は、位相差演算部４１から入力されたパルス信号を計数することにより、回転子の位置に応じたデジタル信号を生成し、切替部４３を介して送信回路５へ出力する。
【００２９】
Ａ／Ｄ変換部４４は、温度センサ９から入力された電圧信号をＡ／Ｄ変換し、変換したデジタル信号を、切替部４３を介して送信回路５へ出力する。切替部４３は、デジタル信号を一旦保持するバッファを備え、カウンタ４２又はＡ／Ｄ変換部４４から入力されたデジタル信号を送信回路５へ出力する。
【００３０】
送信回路５は、検出回路４から入力されたデジタル信号を三相の電源線３夫々を介して同時に受信回路６へ送信する。図２は送信回路５の構成を示すブロック図である。送信回路５、５、５夫々は、モータ２の三相端子Ｕ、Ｖ、Ｗ夫々に接続された３本の電源線に接続されている。
【００３１】
トランジスタ５１のエミッタは、直流電力を供給する直流電源ＤＣ１の正端子に接続され、トランジスタ５１のコレクタは、抵抗素子５２の一端に接続され、抵抗素子５２の他端は１本の電源線３に接続されるとともに、抵抗素子５３を介して接地されている。トランジスタ５１のベースは、切替部４３の出力端に接続されている。
【００３２】
受信回路６は各電源線３のモータ駆動回路１側に接続されている。受信回路６は、各電源線３を送信されたデジタル信号を各電源線３から受信し、受信したデジタル信号を制御回路７へ出力する。図３は受信回路６の構成を示すブロック図である。図において、６１は電源線３を流れるモータ駆動電流からデジタル信号を分離するフィルタ回路である。フィルタ回路６１は、コンデンサ、抵抗素子などから構成されるハイパスフィルタであり、各電源線３のモータ駆動電流の休止期間に送信されたデジタル信号を検波回路６２へ出力する。
【００３３】
検波回路６２は、フィルタ回路６１、６１、６１においてモータ駆動電流から分離して入力されたデジタル信号に対して接地レベルに対する振幅を整え、振幅を整えたデジタル信号を論理和演算回路６３へ出力する。
【００３４】
論理和演算回路６３は、検波回路６２から入力されたデジタル信号について論理和演算を行い、演算結果である元のデジタル信号を制御回路７へ出力する。これにより、論理和演算回路６３は、電源線３夫々のモータ駆動電流が流れていない期間に時分割して送信されたデジタル信号夫々から、時分割される前の元のデジタル信号を復元する。
【００３５】
位置算出部７１は受信回路６から入力されたデジタル信号を、予め定められた基準値と比較することにより、モータ２の回転子の位置を算出し、算出した位置に応じた入力信号をパルス駆動部７２へ出力する。
【００３６】
パルス駆動部７２は、位置算出部７１から入力された入力信号と、パルス駆動部７２において発生する搬送信号とに基づいて、前記入力信号と搬送信号との振幅を比較器（変調器）で比較し、その大小によって、モータ駆動回路１内のいずれのトランジスタＴ１、Ｔ２、Ｔ３、Ｔ４、Ｔ５、又はＴ６をオン又はオフさせるかを決定するためのパルス信号をモータ駆動回路１へ出力する。これにより、位置算出部７１から入力された回転子の位置に対応して変化する回転子の磁界に応じて、前記回転子を回転駆動するための磁界を発生させるために前記電機子巻線にモータ駆動電流を流す。すなわち、前記回転子の位置に応じて、前記回転子にトルクを加えるために前記電機子巻線にモータ駆動電流を流すように、モータ駆動回路１のトランジスタＴ１、Ｔ２、Ｔ３、Ｔ４、Ｔ５、又はＴ６のオン・オフを制御することにより、前記回転子にトルクを加え続けモータ２を回転させる。
【００３７】
温度算出部７３は、受信回路６から入力されたデジタル信号を予め定められた閾値と比較して、異常温度であると判断した場合には、判断結果をパルス駆動部７２へ出力する。これにより、パルス駆動部７２は、モータ２を停止するためのパルス信号をモータ駆動回路１へ出力し、モータ２を停止させる。
【００３８】
次にＰＷＭインバータ方式のモータ駆動回路１の動作について説明する。ＰＷＭインバータ方式は、前記搬送信号及び入力信号の振幅を比較器（変調器）で比較し、その大小によって、インバータ内のいずれのトランジスタをオン・オフさせるかを決定するパルス信号のパルス幅を変調制御して出力電圧又は出力電流を制御するものである。例えば、前記搬送信号に対して、入力信号の振幅を増加した場合は、前記入力信号と搬送信号の振幅が一致するタイミングが早くなり、パルス信号のパルス幅が大きくなる。これにより、入力信号に応じて、パルス信号のパルス幅を制御することができる。
【００３９】
図４は各電源線３を流れるモータ駆動電流を示す説明図である。図において、Ｔ１、Ｔ２、Ｔ３、Ｔ４、Ｔ５、Ｔ６夫々は、モータ駆動回路１のトランジスタＴ１、Ｔ２、Ｔ３、Ｔ４、Ｔ５、Ｔ６夫々がオン状態になるタイミングを示す。また、Ｉｕ、Ｉｖ、Ｉｗは、モータ２の三相端子Ｕ、Ｖ及びＷに流入するモータ駆動電流Ｉｕ、Ｉｖ、Ｉｗを示す。
【００４０】
制御回路７から出力されたパルス信号により、トランジスタＴ１及びＴ５がオン状態の場合は、トランジスタＴ１のエミッタ・コレクタ間の電位差はほぼ零であるため、電池１１の電圧Ｅｄは電源線３のＵ端子に印加され、接地に対するＵ端子の電圧Ｅｕは電圧Ｅｄに等しくなる。一方、トランジスタＴ５のエミッタ・コレクタ間の電位差もほぼ零であるため、接地に対する電源線３のＶ端子の電圧Ｅｖの電圧は零に等しくなる。この場合、トランジスタＴ１を流れたモータ駆動電流は、電源線３を流れてＵ端子に流入して電機子巻線を流れ、Ｖ端子から流出して電源線３を介して、トランジスタＴ５を流れる。したがって、Ｕ端子及びＶ端子に流れるモータ駆動電流Ｉｕ、Ｉｖは相互に逆方向に流れ、Ｗ端子に接続された電源線３にはモータ駆動電流Ｉｗが流れない休止期間が存在する。また、この場合、接地に対する電源線３のＷ端子の電圧Ｅｗは、電圧Ｅｄ又は零のいずれにもならず、フローティング状態となる。    
【００４１】
次に、トランジスタＴ１がオン状態のまま、トランジスタＴ５がオフ状態となり、代わってトランジスタＴ６がオン状態になった場合は、トランジスタＴ１のエミッタ・コレクタ間の電位差はほぼ零であるため、電池１１の電圧Ｅｄは電源線３のＵ端子に印加され、接地に対するＵ端子の電圧Ｅｕは電圧Ｅｄのまま変化しない。一方、トランジスタＴ６のエミッタ・コレクタ間の電位差もほぼ零であるため、接地に対する電源線３のＷ端子の電圧Ｅｗの電圧は零に等しくなる。この場合、トランジスタＴ１を流れたモータ駆動電流Ｉｕは、電源線３を流れてＵ端子に流入して電機子巻線を流れ、Ｗ端子から流出して電源線３を介して、トランジスタＴ６を流れる。したがって、Ｕ端子及びＷ端子に流れるモータ駆動電流Ｉｕ、Ｉｗは相互に逆方向に流れ、Ｖ端子に接続された電源線３にはモータ駆動電流Ｉｖが流れない休止期間が存在する。また、この場合、接地に対する電源線３のＶ端子の電圧Ｅｖは、電圧Ｅｄ又は零のいずれにもならず、フローティング状態となる。
【００４２】
さらに、トランジスタＴ６がオン状態のまま、トランジスタＴ１がオフ状態となり、代わってトランジスタＴ２がオン状態になった場合は、トランジスタＴ２のエミッタ・コレクタ間の電位差はほぼ零であるため、電池１１の電圧Ｅｄは電源線３のＶ端子に印加され、接地に対するＶ端子の電圧Ｅｖは電圧Ｅｄに等しくなる。一方、トランジスタＴ６のエミッタ・コレクタ間の電位差もほぼ零であるため、接地に対する電源線３のＷ端子の電圧Ｅｗの電圧は零に等しくなる。この場合、トランジスタＴ２を流れたモータ駆動電流Ｉｖは、電源線３を流れてＶ端子に流入して電機子巻線を流れ、Ｗ端子から流出して電源線３を介して、トランジスタＴ６を流れる。したがって、Ｖ端子及びＷ端子に流れるモータ駆動電流Ｉｖ、Ｉｗは相互に逆方向に流れ、Ｕ端子に接続された電源線３にはモータ駆動電流Ｉｕが流れない休止期間が存在する。また、この場合、接地に対する電源線３のＵ端子の電圧Ｅｕは、電圧Ｅｄ又は零のいずれにもならず、フローティング状態となる。
【００４３】
同様にトランジスタＴ１乃至Ｔ６がオン・オフ状態を繰り返すことにより、各電源線３には、モータ駆動電流Ｉｕ、Ｉｖ、Ｉｗが流れない休止期間が、交番的に繰り返されて発生し、各電源線３を遷移することになる。また、この場合、モータ駆動電流Ｉｕ、Ｉｖ、Ｉｗが電源線３のＵ端子、Ｖ端子、Ｗ端子夫々を流れない期間は、電源線３のＵ端子、Ｖ端子、Ｗ端子の電圧Ｅｕ、Ｅｖ、Ｅｗ夫々は電圧Ｅｄ又は零のいずれでもなくフローティング状態となる。
【００４４】
各電源線３をモータ駆動電流Ｉｕ、Ｉｖ、Ｉｗが流れない休止期間が、交番的に繰り返されて発生し、前記休止期間は各電源線３の電圧はフローティング状態となる。すなわち、前記休止期間以外の期間においては、各電源線３の電圧は、電圧Ｅｄにクリップされ又は接地レベルにクリップされるため、前記期間においては、送信回路５がデジタル信号を電源線３へ出力しても、該デジタル信号は電源線３を介して伝送されない。一方、前記休止期間においては、各電源線３の電圧はフローティング状態であるため、送信回路５がデジタル信号を電源線３へ出力すると、該デジタル信号は電源線３を介して伝送される。
【００４５】
電源線３のＶ端子に接続された送信回路５において、電源線３の電圧ＥｖがＥｄ（Ｅｄ＞ＤＣ１）である場合は、電源線３の電圧Ｅｖが電圧Ｅｄにクリップされ、送信回路５は検出回路４の切替部４３のバッファに保持されたデジタル信号を送信しても、電源線３を介して伝送されない。また、電源線３の電圧Ｅｖが接地レベルである場合も、電圧Ｅｖは零電位にクリップされるため、送信回路５は検出回路４の切替部４３のバッファに保持されたデジタル信号を送信しても、電源線３を介して伝送されない。一方、電源線３にモータ駆動電流Ｉｖが流れない期間、すなわち、電源線３の電圧Ｅｖがフローティング状態の場合は、切替部４３のバッファに保持されたデジタル信号がトランジスタ５１のベースに出力され、前記デジタル信号が抵抗５２を介して電源線３に出力され、受信回路６へ伝送される。また、電源線３のＵ端子、Ｗ端子に接続された送信回路５、５も同様の動作を行う。
【００４６】
受信回路６は、フィルタ回路６１により電源線３夫々のモータ駆動電流Ｉｕ、Ｉｖ、Ｉｗの休止期間に伝送されたデジタル信号を通過して受信する。受信回路６は、論理和演算回路６３により受信したデジタル信号について論理和演算を行い、各電源線３夫々を送信されたデジタル信号から元のデジタル信号を復元する。
【００４７】
図５は送信及び受信されるデジタル信号を示す説明図である。図において、Ａ、Ｂ、及びＣは、夫々電源線３のＵ端子、Ｗ端子、及びＶ端子におけるモータ駆動電流の休止期間を示す。送信回路５、５、５は各電源線３夫々に同時にデジタル信号Ａ、Ｂ、Ｃを出力する。
【００４８】
しかし、電源線３のＵ端子はＡの期間のみモータ駆動電流が流れず、Ｕ端子の電圧はフローティング状態であるが、Ｂ及びＣの期間はモータ駆動電流が流れ、Ｕ端子の電圧は電圧Ｅｄ又は接地レベルにクリップされている。このため、送信回路５が電源線３のＵ端子へ出力したデジタル信号Ａ、Ｂ、Ｃは、Ａの期間のみ伝送され、Ｂ及びＣの期間に出力されたデジタル信号は伝送されない。
【００４９】
電源線３のＷ端子に出力されたデジタル信号Ａ、Ｂ、Ｃも同様に、Ｂの期間のみ伝送され、Ｃ及びＡの期間に出力されたデジタル信号は伝送されない。また、電源線３のＶ端子に出力されたデジタル信号Ａ、Ｂ、Ｃも同様に、Ｃの期間のみ伝送され、Ａ及びＢの期間に出力されたデジタル信号は伝送されない。
【００５０】
受信回路６は、電源線３のＵ端子、Ｗ端子、及びＶ端子夫々に時分割して伝送されたデジタル信号Ａ、Ｂ、及びＣを論理和演算することにより、元のデジタル信号Ａ、Ｂ、Ｃを復元することができる。
【００５１】
上述の如く、モータ駆動電流Ｉｕ、Ｉｖ、Ｉｗの休止期間は、交番的に各電源線３を移動するため、各電源線３に同時に送信されたデジタル信号は、各電源線３のモータ駆動電流Ｉｕ、Ｉｖ、Ｉｗの休止期間に送信されたデジタル信号のみが伝送される。すなわち、元のデジタル信号は、時分割されて各電源線３を介して伝送され、受信回路において元のデジタル信号に復元される。
【００５２】
モータ駆動電流が流れない休止期間においては、モータ駆動電流により生じるノイズが発生しないため、送信回路５、５、５は、ノイズの影響を受けずにデジタル信号を電源線３へ伝送することができる。
【００５３】
実施の形態において、モータ駆動回路１にはトランジスタが用いられていたが、これに限られるものではなく、ＦＥＴなどのスイッチング素子であってもよい。
【００５４】
送信回路５におけるスイッチング素子はトランジスタであるが、ＦＥＴなどの他のスイッチング素子であってもよく、またスイッチング素子の一段に限らず他段の構成であってもよい。また、受信回路６における検波回路６２の構成もトランジスタの一段構成になっているが、これに限らず、他段の構成でもよく、また、ＦＥＴなどの他のスイッチング素子を用いた構成であってもよい。
【００５５】
実施の形態において、デジタル信号が、三相の電源線のすべてを介して送信される構成であったが、三相の電源線のうち二線を介して送信される構成であってもよい。
【図面の簡単な説明】
【００５６】
【図１】本発明のＰＷＭインバータ方式を用いたモータ駆動装置の概略構成を示すブロック図である。
【図２】送信回路の構成を示すブロック図である。
【図３】受信回路の構成を示すブロック図である。
【図４】電源線を流れるモータ駆動電流を示す説明図である。
【図５】送信及び受信されるデジタル信号を示す説明図である。
【符号の説明】
【００５７】
１  モータ駆動回路
２  モータ
３  電源線
４  検出回路
５  送信回路
６  受信回路
７  制御回路
５１  トランジスタ
５２  抵抗素子
５３  抵抗素子
６１  フィルタ回路
６２  検波回路
６３  論理和演算回路
【図１】
2005229719.tif 000003
【図２】
2005229719.tif 000004
【図３】
2005229719.tif 000005
【図４】
2005229719.tif 000006
【図５】
2005229719.tif 000007